(57)【要約】【課題】しっかりとした剛性感を有しながら身体の曲面部分に沿わせた状態で回転刺激を付与できる美容機器を提供する。【解決手段】平行な軸回りに回転駆動される複数個の回転体１４を備える。各回転体１４には、肌面に押圧刺激を付与する少なくとも１個の押圧体１５が設けられている。回転体１４が駆動軸２０に装着されている。隣接する駆動軸２０どうしがフレーム５１で回動自在に軸支されている。隣接する回転体１４およびフレーム５１が、隣接相手側の駆動軸２０を回動中心にして回動できる。各駆動軸２０には、回転体１４に回転を伝動する受動ギヤ２１が設けられている。駆動機構１３は、受動ギヤ２１と、隣接する受動ギヤ２１間に配置されて噛み合い連動するカウンターギヤ２２とを含む。受動ギヤ２１の回転軸心と、駆動軸２０の軸心Ｐとが一致させてある。【選択図】図１
2015084780.tif 000002
【特許請求の範囲】
【請求項１】
平行な軸回りに回転駆動される複数個の回転体（１４）を備え、
各回転体（１４）には、肌面に押圧刺激を付与する少なくとも１個の押圧体（１５）が設けられており、
回転体（１４）が駆動軸（２０）に装着されており、
隣接する駆動軸（２０）どうしがフレーム（５１）で回動自在に軸支されており、
隣接する回転体（１４）およびフレーム（５１）が、隣接相手側の駆動軸（２０）を回動中心にして回動できることを特徴とする美容機器。
【請求項２】
各駆動軸（２０）には、回転体（１４）に回転を伝動する受動ギヤ（２１）が設けられており、
駆動機構（１３）は、受動ギヤ（２１）と、隣接する受動ギヤ（２１）間に配置されて噛み合い連動するカウンターギヤ（２２）とを含み、
受動ギヤ（２１）の回転軸心と、駆動軸（２０）の軸心（Ｐ）とが一致させてあることを特徴とする請求項２に記載の美容機器。
【請求項３】
各回転体（１４）は、駆動機構（１３）で同一方向へ回転駆動されていることを特徴とする請求項１または２に記載の美容機器。
【請求項４】
各回転体（１４）に設けた押圧体（１５）の位相位置が、隣接する回転体（１４）で異ならせてあることを特徴とする請求項３に記載の美容機器。
【請求項５】
各押圧体（１５）の回転軌跡（Ｔ）の直径が同一に設定されていることを特徴とする請求項１乃至３のいずれかひとつに記載の美容機器。
【請求項６】
各回転体（１４）の回転速度が同一に設定されていることを特徴とする請求項１乃至５のいずれかひとつに記載の美容機器。
【請求項７】
隣接する回転体（１４）のうち、回転方向下手側に位置する回転体（１４）の回転速度が、回転方向上手側に位置する回転体（１４）の回転速度より速く設定されていることを特徴とする請求項１乃至５のいずれかひとつに記載の美容機器。
【発明の詳細な説明】
【技術分野】
【０００１】
本発明は、肌面に回転刺激を付与できる美容機器に関する。美容機器は例えば手持ち型のマッサージ器として使用することができる。
【背景技術】
【０００２】
本発明にかかる美容機器は、押圧体が配置された複数個の回転体を、平行な軸回りに回転駆動して肌面に回転刺激を付与するが、このような美容機器は、例えば特許文献１に開示されている。かかる特許文献１のローリングあんま器は、ケース内に複数の車軸を備えており、周面に凸部と凹部とが波状に設けられたローラー（押圧体）を先の車軸に装着している。車軸は、プーリーと螺旋ベルトで構成された巻掛け伝動機構でモーターに接続されており、モーターを回転させることにより、各ローラーを同一方向に回転駆動できる。ローラーの一部はケースの底面から突出しており、回転するローラーを肌面に軽く触れるように当接させることにより、ローラー周面の凸部で肌面に回転刺激を付与できる。
【先行技術文献】
【特許文献】
【０００３】
【特許文献１】特開昭５３−４１８９０号公報（第２頁、第３頁左上欄、図４）
【発明の概要】
【発明が解決しようとする課題】
【０００４】
特許文献１のローリングあんま器では、ローラーの凸部でローラーの回転方向に沿って肌面に回転刺激を付与することができ、刺激部位の血液やリンパ液を強制的に回転方向下手側に圧送してうっ血状態を解消できる。これにより、刺激部位の血流を改善して肌を活性化でき美容効果を得ることができる。また、各ローラーは、一対の長孔と一対のローラーの車軸を利用した揺動機構によりそれぞれのローラーが上下にフロートする構成となっている。しかし、長孔に対して車軸が沈み込むため、長孔に対して一方側の車軸のみが沈み込む、あるいは両方の車軸が沈み込むといった多様な動きになり、ローラーの剛性感が不足するものとなる。また、長孔に対して一方側の車軸のみが大きく沈み込めば、長孔から車軸が外れる虞れもある。
【０００５】
本発明の目的は、しっかりとした剛性感を有しながら身体の曲面部分に沿わせた状態で回転刺激を付与できる美容機器を提供することにある。
本発明の目的は、回転刺激による血液やリンパ液の圧送効果を向上して、効果的に美容効果を得ることができる美容機器を提供することにある。
【課題を解決するための手段】
【０００６】
本発明に係る美容機器は、平行な軸回りに回転駆動される複数個の回転体１４を備える。各回転体１４には、肌面に押圧刺激を付与する少なくとも１個の押圧体１５が設けられている。回転体１４が駆動軸２０に装着されている。隣接する駆動軸２０どうしがフレーム５１で回動自在に軸支されている。隣接する回転体１４およびフレーム５１が、隣接相手側の駆動軸２０を回動中心にして回動できる。
【０００７】
各駆動軸２０には、回転体１４に回転を伝動する受動ギヤ２１が設けられている。駆動機構１３は、受動ギヤ２１と、隣接する受動ギヤ２１間に配置されて噛み合い連動するカウンターギヤ２２とを含む。受動ギヤ２１の回転軸心と、駆動軸２０の軸心Ｐとが一致させてある。
【０００８】
各回転体１４は、駆動機構１３で同一方向へ回転駆動されている。
【０００９】
各回転体１４に設けた押圧体１５の位相位置が、隣接する回転体１４で異ならせてある。
【００１０】
各押圧体１５の回転軌跡Ｔの直径を同一に設定する。
【００１１】
各回転体１４の回転速度を同一に設定する。
【００１２】
隣接する回転体１４のうち、回転方向下手側に位置する回転体１４の回転速度を、回転方向上手側に位置する回転体１４の回転速度より速く設定する。
【発明の効果】
【００１３】
本発明においては、隣接する駆動軸２０どうしをフレーム５１で回動自在に軸支し、隣接する回転体１４が隣接相手側の駆動軸２０を回動中心にして回動できる形態を採ることができる。これによれば、隣接する回転体１４を各駆動軸２０を回動中心にして互いに屈折させて、回転体１４の全体の配置形態を種々に変更することができる。例えば、各回転体１４を円弧状に屈折することができる。これにより、身体の曲面部分に美容機器を沿わせた状態で押圧体１５による回転刺激を肌面に付与することができる。
【００１４】
回転体１４に動力を伝動する受動ギヤ２１の回転軸心と、駆動軸２０の軸心Ｐとを一致させると、隣接する受動ギヤ２１と、受動ギヤ２１と噛み合い連動するカウンターギヤ２２との噛合深さが変化することなく、隣接する回転体１４どうしを各駆動軸２０の軸心Ｐを回動中心にして互いに屈折させることができる。従って、回転体１４の全体の配置形態を様々に変更した場合でも、噛合部分で騒音発生やがたつきが発生するのを防止でき、また、各回転体１４に動力を確実に伝動することができる。
【００１５】
各回転体１４が、駆動機構１３で同一方向へ回転駆動されていると、回転体１４の回転方向に沿って肌面に回転刺激を付与することができ、刺激部位の血液やリンパ液を強制的に回転方向下手側に圧送できる。
【００１６】
各回転体１４に設けた押圧体１５の位相位置を、隣接する回転体１４で異ならせたので、隣接する回転体１４の押圧体１５が同時に肌面に接触して回転刺激を付与することを回避できる。これにより、押圧体１５で圧送された血液やリンパ液の流れが、下手側の押圧体１５で堰き止められて圧送効果が低下することを防止できる。従って、回転刺激による血液やリンパ液の圧送効果を向上することができる。
【００１７】
各押圧体１５の回転軌跡Ｔの直径が同一に設定されていると、押圧体１５の肌面への接触状態を各押圧体１５で同一にすることができ、肌面に回転刺激を付与する際の肌当たりを均一にできる。
【００１８】
各回転体１４の回転速度が同一に設定されていると、肌面へリズムよく回転刺激を付与でき、美容機器を心地よく快適に使用することができる。
【００１９】
隣接する回転体１４のうち、回転方向下手側に位置する回転体１４の回転速度が、回転方向上手側に位置する回転体１４の回転速度より速く設定されていると、下手側の押圧体１５は、上手側から圧送されてきた血液やリンパ液を滞ることなくすばやく回転方向下手側へ圧送できる。従って、回転刺激による血液やリンパ液の圧送効果をさらに向上できる。
【図面の簡単な説明】
【００２０】
【図１】第１実施例に係る美容機器の概略正面図である。
【図２】図１におけるＢ−Ｂ線断面図である。
【図３】第１実施例に係る美容機器の屈曲状態を示す概略横断平面図である。
【図４】第２実施例に係る美容機器の使用状態を示す平面図である。
【発明を実施するための形態】
【００２１】
（第１実施例）  図１から図３に、手持ち型のマッサージ器（美容機器）（以下、単にマッサージ器と言う。）に適用した第１実施例を示す。なお、前後、左右、上下とは、図１、図２および図３に示す交差矢印と、各矢印の近傍に表記した前後、左右、上下の表示に従う。図１においてマッサージ器は、箱形の本体ケース１と、本体ケース１の右側面から外側に伸びるマッサージヘッド（ヘッド）２とで構成されている。マッサージヘッド２は、マッサージユニット３とマッサージユニット３を覆うユニットカバー５５とで構成されている。本体ケース１はグリップ４を兼ねており、その内部には、マッサージユニット３を駆動するモーター５と、モーター５に駆動電流を供給する電池６と、モーター５の動作を制御する制御基板７などが配置されている。モーター５は、グリップ４の前面に設けられた作動スイッチ８をオン操作することにより起動して、マッサージユニット３を駆動する。図１において、符号９はモーター５の回転方向を切り換える正逆転スイッチである。
【００２２】
図１、図３に示すように、マッサージユニット３は、駆動機構１３と、駆動機構１３で回転駆動される上下一対の回転台（回転体）１４と、各回転台１４に設けられる押圧棒（押圧体）１５と、隣接する駆動軸２０どうしを軸支する上下一対の可動フレーム（フレーム）５１などで構成されている。押圧棒１５は、一対の回転台１４の間に配置されており、ローラー軸１６とローラー軸１６で回転自在に軸支される筒状のローラー１７とで構成される棒状体からなる。ローラー軸１６の上下端は、上下の回転台１４に固定されており、ローラー１７の横断面形状は、円形状に形成されている。
【００２３】
図３に示すように、一対の回転台１４の間には２個の押圧棒１５が設けられており、これらの押圧棒１５は回転台１４の回転中心に対して点対称の位置に設けられている。回転台１４が回転駆動されるときの各押圧棒１５の回転軌跡Ｔの直径は同一に設定されており、押圧棒１５は、ローラー１７の周面（周面部）１５ｂで、肌面に押圧を伴う回転刺激を付与できる。各回転台１４は、駆動軸２０に固定されている。
【００２４】
図１に示すように、駆動機構１３は、５個の駆動軸２０と、各駆動軸２０に固定されてモーター５からの動力を回転台１４に伝動する受動ギヤ２１と、隣接する受動ギヤ２１間に配置されて噛み合い連動するカウンターギヤ２２とを含んで構成されている。各駆動軸２０には、駆動軸２０と同軸の回転軸心を有する回転体１４と、回転体１４と同軸の回転軸心を有し回転体１４に回転を伝動する受動ギヤ２１が設けられている。隣接する駆動軸２０どうしは、上下一対の剛性を有する可動フレーム５１で隣接相手側の剛性を有する駆動軸２０の軸心Ｐを中心に前後方向に回動自在に軸支されており、各駆動軸２０および各可動フレーム５１の全体は、左端の駆動軸２０が、本体ケース１に固定されたベースフレーム５２で軸支された状態で前後方向に回動自在となっている。これにより、隣接する回転台１４および可動フレーム５１が、隣接相手側の駆動軸２０を回動中心にして回動できる。可動フレーム５１およびベースフレーム５２と駆動軸２０との間には図示しない軸受体が設けられている。また、カウンターギヤ２２は、両フレーム５１・５２に回転自在に軸支されたギヤ軸２３に固定されている。
【００２５】
図２、図３に示すように、受動ギヤ２１の回転軸心と、駆動軸２０の軸心Ｐ、すなわち受動ギヤ２１と回転体１４が装着される駆動軸２０を利用した回動用の軸心Ｐとが一致させてある。これにより、隣接相手側の駆動軸２０の軸心Ｐを回動中心にして回転台１４を回動させると、回動中心となる受動ギヤ２１に対してカウンターギヤ２２は、噛合深さが変化することなく回転台１４を回動させた角度だけ噛合位置が移動する。このとき、回動中心となる受動ギヤ２１に対して回動する側の回転台１４の受動ギヤ２１も回動するカウンターギヤ２２を介して回転台１４を回動させた角度だけ噛合位置が移動する。各々隣接する回転台１４を回動させた場合も同様である。このように、回転台１４に動力を伝動する受動ギヤ２１の回転軸心と、駆動軸２０の軸心Ｐとを一致させると、隣接する受動ギヤ２１と、受動ギヤ２１と噛み合い連動するカウンターギヤ２２との噛合深さが変化することなく、隣接する回転台１４どうしを各駆動軸２０の軸心Ｐを回動中心にして互いに屈折させることができる。従って、回転台１４の全体の配置形態を様々に変更した場合でも、噛合部分で騒音発生やがたつきが発生するのを防止でき、また、各回転台１４に動力を確実に伝動することができる。
【００２６】
ベースフレーム５２と複数の可動フレーム５１によって連接した複数の駆動軸２０のうち、本体ケース１側を固定端として自由端側となる端部（右端）の駆動軸２０には、駆動軸２０の軸心Ｐを回動中心とする上下一対の端部フレーム５１ａが回動自在に軸着されている。この上下一対の端部フレーム５１ａの端部には、把持棒（把持体）５３が連結されており、この把持棒５３が肌面に回転刺激を付与する際の握り部として機能する。把持棒５３のそれ自体も、一対の端部フレーム５１ａの端部に回動自在に取り付けられている。片方の手で本体ケース１を固定し、もう片方の手で把持棒５３を前後方向に移動させることにより、隣接する回転台１４どうしは駆動軸２０を回動中心にして回動し、マッサージヘッド２を自在に屈折させることができる。例えば片方の手で本体ケース１を握り、もう一方の手で把持棒５３を握って、足のふくらはぎに巻き付けた状態で回転刺激を付与することができる。図示していないが、隣接するフレーム５１の間にはストッパー構造が設けられており、フレーム５１を屈折させることができる角度が規制されている。
上記構成に係る美容機器は以下の態様で実施できる。
（態様１）
平行な軸回りに回転駆動される複数個の回転体１４を備え、
各回転体１４には、肌面に押圧刺激を付与する少なくとも１個の押圧体１５が設けられており、
回転体１４が駆動軸２０に装着されており、
隣接する駆動軸２０どうしがフレーム５１で回動自在に軸支されており、
隣接する回転体１４およびフレーム５１が、隣接相手側の駆動軸２０を回動中心にして回動でき、
フレーム５１によって連接した複数の駆動軸２０のうち、端部の駆動軸２０には、駆動軸２０の軸心Ｐを回動中心とする端部フレーム５１ａが回動自在に設けられており、
端部フレーム５１ａに把持体５３が設けられていることを特徴とする美容機器。
態様１の構成によれば、把持体５３を握って隣接する回転体１４を各駆動軸２０を回動中心にして容易に屈折させることができる。
（態様２）
平行な軸回りに回転駆動される複数個の回転体１４を備え、
各回転体１４には、肌面に押圧刺激を付与する少なくとも１個の押圧体１５が設けられており、
回転体１４が駆動軸２０に装着されており、
隣接する駆動軸２０どうしがフレーム５１で回動自在に軸支されており、
隣接する回転体１４およびフレーム５１が、隣接相手側の駆動軸２０を回動中心にして回動でき、
各駆動軸２０には、回転体１４に回転を伝動する受動ギヤ２１が設けられており、
駆動機構１３は、受動ギヤ２１と、隣接する受動ギヤ２１間に配置されて噛み合い連動するカウンターギヤ２２とを含み、
受動ギヤ２１の回転軸心と、駆動軸２０の軸心Ｐとが一致させてあり、
フレーム５１によって連接した複数の駆動軸２０のうち、端部の駆動軸２０には、駆動軸２０の軸心Ｐを回動中心とする端部フレーム５１ａが回動自在に設けられており、
端部フレーム５１ａに把持体５３が設けられていることを特徴とする美容機器。
態様２の構成によれば、把持体５３を握って隣接する受動ギヤ２１と、受動ギヤ２１と噛み合い連動するカウンターギヤ２２との噛合深さが変化することなく、隣接する回転体１４どうしを各駆動軸２０の軸心Ｐを回動中心にして容易に屈折させることができる。従って、回転体１４の全体の配置形態を様々に変更した場合でも、噛合部分で騒音発生やがたつきが発生するのを防止でき、また、各回転体１４に動力を確実に伝動することができる。
【００２７】
以上のように、隣接する回転体１４が隣接相手側の駆動軸２０を回動中心にして回動できるように支持してあると、隣接する回転体１４を各駆動軸２０を回動中心にして互いに屈折させて、回転体１４の全体の配置形態を種々に変更することができる。例えば、図３に示すように、マッサージヘッド２を円弧状に屈折することができ、身体の曲面部分にマッサージヘッド２を沿わせた状態で押圧棒１５による回転刺激を肌面に付与することができる。つまり、各回転体１４を能動的に人体に沿わせることができ、各回転体１４を略同一の押圧力で肌面に当接でき、その状態で押圧棒１５による回転刺激を付与できる。
【００２８】
モーター５のモーター軸は、減速機２５に接続されており、減速機２５の出力軸には駆動ギヤ５４が固定されている。駆動ギヤ５４と左端の受動ギヤ２１とは、カウンターギヤ２２を介して噛合されており、駆動ギヤ５４と、５個の受動ギヤ２１と、５個のカウンターギヤ２２とでギヤトレインが構成されている。作動スイッチ８をオン操作してモーター５を駆動すると、減速機２５を介して本体ケース１内の駆動ギヤ５４が回転駆動され、駆動ギヤ５４の回転が、カウンターギヤ２２を介して終段の受動ギヤ２１まで伝動され、各回転台１４が回転駆動される。５個の受動ギヤ２１の歯数は同じであり、また、５個のカウンターギヤ２２の歯数も同じであるので、各回転台１４は同一方向に同一速度で同時に回転駆動される。モーター５を正転させたとき、各回転台１４は図３において反時計回りに回転するように設定されており、その回転数は６０ｒｐｍに設定した。
【００２９】
図１に示すように、各回転台１４に設けた押圧棒１５の位相位置は、隣接する回転台１４で異ならせてあり、各回転台１４の回転中心が同一平面上にあるとき、隣接する押圧体１５は、それぞれ４５度ずつ位相位置を異ならせた状態で設けられている。
【００３０】
モーター５を駆動して、マッサージヘッド２を肌面に当接させることにより、ユニットカバー５５を介して各押圧棒１５の周面１５ｂで肌面に回転刺激を付与することができる。マッサージヘッド２の前面または後面を肌面に当接させれば、押圧棒１５の周面１５ｂで回転方向に沿って直線状の回転刺激を肌面に付与することができる。このとき剛性のあるフレーム５１と同様に剛性のある駆動軸２０とで回転台１４を回動自在に支持しているので、しっかりとした剛性感を有しながら身体の曲面部分に沿わせた状態で回転刺激を付与できる。
【００３１】
本実施例においては、各回転台１４に設けた押圧棒１５の位相位置を、隣接する回転台１４で異ならせる点に特徴がある。図１に示すように、左から１番目に配置された回転台１４の押圧棒１５が左右方向に沿った位置にあるとき、左から２番目に配置された回転台１４の押圧棒１５は左右方向に沿った位置から時計回り方向に４５度位相を異ならせた位置にあり、左から３番目に配置された回転台１４の押圧棒１５は左から２番目に配置された回転台１４の押圧棒１５の位相位置から時計回り方向に４５度位相を異ならせた前後方向に沿った位置にある。さらに左から４番目、５番目の回転台１４の押圧棒１５も同様に４５度ずつ位相を異ならせてある。これにより、マッサージヘッド２の前面を肌面に当接させたときには、例えば図３の状態において、左から３番目の回転台１４の押圧棒１５肌面に回転刺激を付与したのち、左から２番目の回転台１４の押圧棒１５が肌面に回転刺激を付与する。次いで、左から１番目の回転台１４の押圧棒１５が肌面に回転刺激を付与する。次いで、左から６番目、５番目の回転台１４の押圧棒１５が順番に肌面に回転刺激を順番に付与する。図３の状態をもとに説明しているので、左から３番目の回転台１４を一番最初として説明したが、基本的には、左から１番目、２番目、３番目、４番目、５番目の回転台１４の順で押圧を伴う回転刺激を肌面に付与する。５番目の回転台１４による回転刺激の付与が終われば再び左から１番目に戻り回転刺激が繰り返される。このように、回転台１４の回転方向上手側から下手側へと押圧棒１５の周面１５ｂで順に肌面に回転方向に沿った直線状の回転刺激を付与できる。回転台１４の回転方向と血液の流れ方向とを一致させてマッサージヘッド２を肌面に当接させた場合には、直線状の回転刺激を肌面に付与して、血液やリンパ液を回転方向下手側に圧送することができる。
【００３２】
例えば、左から１番目、２番目、３番目、４番目、５番目の回転台１４のそれぞれの受動ギヤ２１の歯数を記載順に減らせば、各回転台１４の回転速度は記載順に速くなる。具体的には、各回転台１４の回転速度は、駆動ギヤ５４に近い側から順に、４０ｒｐｍ、４５ｒｐｍ、５０ｒｐｍ、５６ｒｐｍ、６３ｒｐｍに設定することができる。この場合、５個のカウンターギヤ２２の歯数は同じに設定する。このように、隣接する回転台１４のうち、回転方向下手側に位置する回転台１４の回転速度を、回転方向上手側に位置する回転台１４の回転速度より速く設定すると、下手側の押圧棒（押圧体）１５は、上手側から圧送されてきた血液やリンパ液を滞ることなくすばやく圧送できる。従って、押圧を伴う回転刺激による血液やリンパ液の圧送効果をさらに向上して、効果的に美容効果を得ることができる。なお、回転方向下手側に位置する回転台１４の回転速度を、回転方向上手側に位置する回転台１４の回転速度より速く設定するとは、例えば、本実施例の場合、左から１番目、２番目、３番目の回転台１４の回転速度が同じで、左から４番目、５番目の回転台１４の回転速度が同じ回転速度でかつ、１番目、２番目、３番目の回転台１４の回転速度よりも速い回転速度である構成であってもよい。また、左から１番目、２番目、３番目、４番目の回転台１４の回転速度が同じで、残りの５番目の回転台１４の回転速度が左から１番目、２番目、３番目、４番目の回転台１４の回転速度よりも速い回転速度である構成であってもよい。その構成は種々変更できる。
【００３３】
また、本実施例に係るマッサージ器は、１個のモーター（駆動源）５で５個の回転台１４を回転駆動している。このため、例えば、隣接する押圧棒１５の位相位置が同じであると、５個の押圧棒１５が同じタイミングで肌面を押圧するため、回転刺激を付与している間のモーター５には大きな負荷が作用する。しかし、各回転台１４に設けた押圧棒１５の位相位置を、隣接する回転台１４で異ならせると、複数の押圧棒１５が同じタイミングで肌面に回転刺激を付与することがなく、モーター５に作用する負荷が大きくなることを回避して、モーター５の寿命を向上できる。また、モーター５に大きな負荷が作用することによる電池６の消耗を抑制できる。さらに、負荷によるモーター５の加熱を防止して、マッサージ器の信頼性を向上できる。
【００３４】
以上のように、本実施例のマッサージ器においては、各回転台１４に設けた押圧棒１５の位相位置を、隣接する回転台１４で異ならせたので、隣接する回転台１４の押圧棒１５が同時に肌面に接触して回転刺激を付与することを回避できる。これにより、押圧棒１５で圧送された血液やリンパ液の流れが、下手側の押圧棒１５で堰き止められて圧送効果が低下することを防止できる。従って、回転刺激による血液やリンパ液の圧送効果を向上して、効果的に美容効果を得ることができる。各回転台１４に設けた押圧棒１５の位置は、回転台１４の組付け時に、各回転台を所定角度（本実施例では４５度）ずつずらして組付けるだけで、位相位置を異ならせることができるので、マッサージユニット３の構造が複雑化することはない。
【００３５】
また、各押圧棒１５の回転軌跡Ｔの直径を同一に設定するので、押圧棒１５の肌面への接触状態を各押圧棒１５で同一にすることができ、回転刺激を付与する際の肌当たりを均一にできる。さらに、各回転台１４の回転速度を同一に設定するので、肌面へリズムよく回転刺激を付与でき、心地よく快適にマッサージ器を使用することができる。例えばマッサージヘッド２の前面を肌面に当接させた場合には、左側の回転台１４の押圧棒１５から右側の回転台１４の押圧棒１５へと順を追って規則的に肌面に回転刺激を付与する。すなわち、左から１番目、２番目、３番目、４番目、５番目、次いで１番目の回転台１４と、それぞれ同一の時間差でもって、順に押圧棒１５による押圧を伴う回転刺激を肌面に付与できる。
【００３６】
本実施例では、押圧棒１５（ローラー１７）の横断面形状は円形に形成したが、非円形コロ形状、楕円形状、または多角形状に形成してもよい。押圧棒１５は、一対の回転台１４の間に回転自在に両持ち状態で支持される構成に限定されるものではなく、一方の回転体１４から回転軸心方向に突出した片持ち状態の押圧棒１５であってもよい。押圧棒１５は、ローラー軸１６と、ローラー１７とで構成する必要はなく、一対の回転体１４の間であって、少なくともいずれか一方の回転体１４の回転平面に一体で形成した回転軸心方向を長手軸とした回転しない棒状体であってもよい。また、本実施例では、５個の回転体１４が設けられているが、６個以上であってもよいし、２個の回転体１４を備えるものであってもよく、その個数は限定されない。
【００３７】
本実施例では、回転台（回転体）１４と受動ギヤ２１が固定される駆動軸２０およびカウンターギヤ２２が固定されるギヤ軸２３は、可動フレーム５１あるいはベースフレーム５２に対して回転自在に支持したが、駆動軸２０およびギヤ軸２３は前記フレーム５１・５２に固定することができる。その場合には、回転台１４と受動ギヤ２１とを連結固定し、これら１４・２１を前記フレーム５１・５２に固定した駆動軸２０に対して回転自在に支持する構造とする。また、前記フレーム５１・５２に固定したギヤ軸２３に対してカウンターギヤ２２を回転自在に支持する構造とする。
【００３８】
（第２実施例）  図４に、美容機器の第２実施例を示す。第２実施例に係る美容機器（マッサージ器）は、マッサージユニット３により多くの回転体１４を設けてマッサージヘッド２を長尺化した点が第１実施例と異なる。マッサージヘッド２の先端側には、ユニットカバー５５の後面に雄側の面ファスナー５７ａが縫着されており、また、マッサージヘッド２の基端側には、ユニットカバー５５の前面に雌側の面ファスナー５７ｂが縫着されている。
【００３９】
本実施例においては、マッサージヘッド（ヘッド）２を長尺化したので、マッサージヘッド２を屈曲させて腕や脚などに巻きつけた状態で、押圧棒１５による回転刺激を肌面に付与できる。また、マッサージヘッド２を腕や脚などに巻きつけたのち、雄雌の面ファスナー５７ａ・５７ｂを接当させて固定することにより、マッサージヘッド２を円環状に保形した状態で装着でき、ハンドフリーの状態で押圧棒１５による回転刺激を肌面に付与できる。本実施例では雄側の面ファスナー５７ａと雌側の面ファスナー５７ｂが同程度の長さに設定されているが、雌側の面ファスナー５７ｂの長さを雄側の面ファスナー５７ａの長さに比べて十分長くして、腕や脚などに巻きつける際の周長の調節を行うことができるよう構成できる。つまり、巻回したとき内側に位置する面ファスナー５７ｂの周長方向の長さを巻回したとき外側に位置する面ファスナー５７ａの周長方向の長さより長くしている。これにより面ファスナー５７ａの面ファスナー５７ｂへの接着位置を使用者の腕や脚の太さに合わせて変更することができ、複数の回転体１４を含むマッサージヘッド（ヘッド）２の周長を調整できる。
【００４０】
雌側の面ファスナー５７ｂは、本体ケース１に接着固定することができる。また、ユニットカバー５５をループパイル生地で構成することにより、雌側の面ファスナー５７ｂを廃して、ユニットカバー５５に雄側の面ファスナー５７ａを直接固定することができる。本実施例においても、回転台１４の回転数は６０ｒｐｍに設定した。
【００４１】
（第３実施例）
例えば、手持ち型のマッサージ器（美容機器）は、駆動機構１３を変更して第３実施例の手持ち型のマッサージ器（美容機器）とすることができる。なお、駆動機構１３を変更した点と本体ケース１の配設位置を変更した以外は、先の第１実施例と同様であるので、その説明を省略する。
【００４２】
具体的には、駆動機構１３について、５個の駆動軸２０と、各駆動軸２０に固定されてモーター５からの動力を回転台１４に伝動する受動ギヤ２１と、隣接する受動ギヤ２１間に配置されて噛み合い連動するカウンターギヤ２２とを含んでいる点は第１実施例と同様であるが、本実施例では、モーター５、減速機構２５、および駆動ギヤ５４を内蔵する本体ケース１を駆動機構１３の中央部分に配設し、駆動ギヤ５４を左から３番目の受動ギヤ２１に連結している。これにより、左から３番目の駆動軸２０を固定基端として、１番目の駆動軸２０と５番目の駆動軸２０を自由端とした屈折構造とすることができる。この場合、一番左のカウンターギヤ２２は省略される。
【００４３】
作動スイッチ８をオン操作してモーター５を駆動すると、減速機２５を介して本体ケース１内の駆動ギヤ５４が回転駆動され、駆動ギヤ５４の回転が、左から３番目の受動ギヤ２１まで伝動され、同受動ギヤ２１から左右に振り分けられて左右のギヤトレインによって各回転台１４が回転駆動される。５個の受動ギヤ２１の歯数は同じであり、また、４個のカウンターギヤ２２の歯数も同じであるので、各回転台１４は同一方向に同一速度で同時に回転駆動される。モーター５を正転させたとき、各回転台１４は反時計回りに回転するように設定されており、その回転数は６０ｒｐｍに設定した。
【００４４】
第１実施例と同様に、隣接する回転体１４が隣接相手側の駆動軸２０を回動中心にして回動できるように支持してあるので、隣接する回転体１４を各駆動軸２０を回動中心にして互いに屈折させて、回転体１４の全体の配置形態を種々に変更することができるが、本実施例では、駆動機構１３、回転体１４、フレーム５１を含むマッサージヘッド（ヘッド）２が、回転軸方向視において自然状態で中央が内凹み状の弓型となるように常時ばね付勢されている。これにより、湾曲する肌面では、そのまま軽く押し当てて湾曲面にフィットさせた状態で回転刺激を付与できる。また、平坦状の肌面では、強めに押し当てて駆動機構１３と回転体１４を含むマッサージヘッド（ヘッド）２を直線状とした状態で平坦面にフィットさせて回転刺激を付与する。マッサージヘッド（ヘッド）２が内凹み状となるように常時ばね付勢するばねは、キックばねからなり、一方端を隣接する一方側のフレーム５１に固定し、他方端を隣接する他方側のフレーム５１に固定してばね付勢させている。
【００４５】
本実施例においても、各回転台１４に設けた押圧棒１５の位相位置は、隣接する回転台１４で異ならせてあり、各回転台１４の回転中心が同一平面上にあるとき、隣接する押圧体１５は、それぞれ４５度ずつ位相位置を異ならせた状態で設けられている。
【００４６】
モーター５を駆動して、マッサージヘッド２を肌面に当接させることにより、ユニットカバー５５を介して各押圧棒１５の周面１５ｂで肌面に回転刺激を付与することができる。マッサージヘッド２の前面を肌面に当接させれば、押圧棒１５の周面１５ｂで回転方向に沿って直線状の回転刺激を肌面に付与することができる。このとき剛性のあるフレーム５１と、同様に剛性のある駆動軸２０とで回転台１４を回動自在に支持しているので、しっかりとした剛性感を有しながら身体の曲面部分に沿わせた状態で回転刺激を付与できる。
【００４７】
本発明における美容機器（マッサージ器）を構成する回転体（回転台）１４および押圧体（押圧棒）１５の個数は、上記の各実施例に示した数に限られない。また、上記の各実施例では、位相位置を４５度ずつ異ならせたが、これに限られず適宜設定することができる。回転体１４の回転数は、上記の各実施例に示した回転数に限られず、適宜変更することができる。隣接する受動ギヤ２１間に配置されているカウンターギヤ２２を２個直列に連結する、あるいは受動ギヤ２１どうしを直接連結させることで隣接する受動ギヤ２１の回転方向を逆にすることができる。また、各回転体１４が同一速度であって、かつ各回転体１４の回転軌跡Ｔの直径を異ならせることができる。この場合、隣接する回転体１４のうち、回転方向下手側に位置する回転台１４の回転軌跡Ｔの直径を、回転方向上手側に位置する回転体１４の回転軌跡の直径より大きく設定すると、回転方向下手側に位置する回転台１４の周速度が速くなり、下手側の押圧体１５は、上手側から圧送されてきた血液やリンパ液を滞ることなくすばやく圧送できる。
【符号の説明】
【００４８】
１３  駆動機構
１４  回転体（回転台）
１５  押圧体（押圧棒）
１５ａ  先端部（半球面）
１５ｂ  周面部（周囲面）
２０  駆動軸
２１  受動ギヤ
２２  カウンターギヤ
５１  フレーム（可動フレーム）
５１ａ  端部フレーム
Ｐ  軸心
Ｔ  回転軌跡
【図１】
2015084780.tif 000003
【図２】
2015084780.tif 000004
【図３】
2015084780.tif 000005
【図４】
2015084780.tif 000006